(57)【要約】【課題】製造時に電線を取りまとめるために、電線を溝に嵌め込む作業や別部品で電線を束ねて器具本体等に挿入設置するといった煩雑な作業をなくし、容易な作業で電線取りまとめが行える光源ユニットの提供を目的とする。【解決手段】本発明に係る光源ユニットは、フレームの一部とともに電線を通す隙間を形成してフレームに設けられる電線保持部を備えたものである。【選択図】図１０
2018018579.tif 000002
【特許請求の範囲】
【請求項１】
電力の供給を受けて発光する発光部と、
前記発光部が配設されるフレームと、
前記発光部に接続される電線と、
前記フレームの一部とともに前記電線を通す隙間を形成して前記フレームに設けられる電線保持部と
を備えた光源ユニット。
【請求項２】
前記電線保持部は、長尺状に形成された前記フレームの短手方向の端部に設けられることを特徴とする請求項１に記載の光源ユニット。
【請求項３】
前記フレームはフレーム側部を有し、
前記電線保持部は前記フレーム側部とともに前記電線を通す隙間を形成して前記フレームに設けられることを特徴とする請求項１または２いずれかに記載の光源ユニット。
【請求項４】
前記発光部を覆ってフレームに取り付けられるカバーを備え、
前記電線保持部は前記カバーと一体に形成されることを特徴とする請求項１から３のいずれかに記載の光源ユニット。
【請求項５】
請求項１から４のいずれかに記載の光源ユニットと、
外部に接して設置される面の反対面に前記光源ユニットが配設される収容凹部を有する器具本体と
を備えることを特徴とする照明器具。
【発明の詳細な説明】
【技術分野】
【０００１】
この発明は光源ユニット及び照明器具に関する。
【背景技術】
【０００２】
照明器具には様々なところに設置されるものがあり、このうちの天井に設置する長尺状の照明器具には、天井に設置する器具本体と、器具本体に着脱自在に取り付けられる光源ユニットとで構成されるものがある。そして、光源ユニットにはＬＥＤ素子や蛍光灯などの発光部と電源装置などの電気部品が配置されており、発光部及び各電気部品は電線で接続されている。
【０００３】
上記のような光源ユニットを製造する際、各電気部品とともにそれらを接続する電線も光源ユニット内部に収納する必要があるが、複数の電線が配線されている場合や、電線の長さが接続する電気部品間より長い場合があり、製造時の組立作業において電線の取り回しが煩雑になったり、光源ユニットを器具本体に取付ける際に、電線が光源ユニットと器具本体の間に挟まれたりしてしまう。このような事象を避けるためには、電線を光源ユニット内部の所定箇所に固定するか収納するようにすればよく、例えば特許文献１には、基板と電源装置とを取り付けるフレームの側面に溝を設け、この溝に電線を嵌め込んで光源ユニット内部に固定するものが開示されている。
【０００４】
また、特許文献２には、折り曲げ可能なコの字形状のシート材からなる電線保持具を備え、この電線保持具に電線を束ねるように抱え持たせて、器具本体の部品装着面と電気部品との間の隙間に挿入して設置することで、電線を光源ユニット内部に固定するものが開示されている。
【先行技術文献】
【特許文献】
【０００５】
【特許文献１】特開２０１４−０７８４２７号公報
【特許文献２】特開平８−２８７７２１号公報
【発明の概要】
【発明が解決しようとする課題】
【０００６】
上記のような従来の照明器具においては、製造時に電線を取りまとめるために、電線を溝に嵌め込む作業や別部品で電線を束ねて器具本体等に挿入設置するといった煩雑な作業が必要であるという問題があった。
【０００７】
本発明は、上記のような課題を解決するためになされたもので、製造時に容易な作業で電線の取りまとめが行える光源ユニットの提供を目的とする。
【課題を解決するための手段】
【０００８】
本発明に係る光源ユニットは、フレームの一部とともに電線を通す隙間を形成して設けられる電線保持部を備えたものである。
【発明の効果】
【０００９】
本発明に係る照明器具によれば、フレームの一部とともに電線を通す隙間を形成してフレームに設けられる電線保持部を備えるので、電線をフレームの一部に誘導して電線保持部が形成した隙間に通して保持することができ、製造時の電線の取りまとめが容易になる。
【図面の簡単な説明】
【００１０】
【図１】本発明の実施の形態に係る照明器具の全体の斜視図
【図２】本発明の実施の形態に係る照明器具の分解斜視図
【図３】本発明の実施の形態に係る器具本体の斜視図
【図４】本発明の実施の形態に係るバネの斜視図
【図５】本発明の実施の形態に係る光源ユニットの分解斜視図
【図６】本発明の実施の形態に係る光源ユニットを斜め上からみた斜視図
【図７】本発明の実施の形態に係る光源ユニットの拡大斜視図
【図８】本発明の実施の形態に係る連結金具の拡大斜視図
【図９】本発明の実施の形態に係るカバーの断面図
【図１０】実施の形態１に係る照明器具をＡ―Ａ切断面からみた断面図
【図１１】実施の形態１に係る光源ユニットをＡ−Ａ切断面からみた断面図
【図１２】実施の形態２に係る光源ユニットをＡ−Ａ切断面からみた断面図
【発明を実施するための形態】
【００１１】
実施の形態１．
本発明は、照明器具のフレームの一部、例えばフレームの隅のほうに、このフレームの一部とともに電線を通す隙間を形成して電線保持部を設け、この隙間に電線を通して保持するようにして電線の取りまとめを容易とするものである。
以下、本発明に係る実施の形態として、天井等に取り付けられる逆富士形の照明器具について説明する。まずは照明器具の全体の構成を説明する。
図１は本発明の実施の形態に係る照明器具の全体の斜視図であり、図２は本発明の実施の形態に係る照明器具の分解斜視図である。
【００１２】
以下の説明では、図１に示す矢印のように、照明器具１の長手方向をＸ方向、短手方向をＹ方向、Ｘ方向及びＹ方向に直交する高さ方向をＺ方向とし、Ｚ方向のうち天井に向かう方向を上方向、床面に向かう方向を下方向とする。
【００１３】
照明器具１は、天井等の被取付部と接して設置される器具本体１００と、器具本体１００に着脱可能に取り付けられる光源ユニット２００とを備える。
【００１４】
図３は照明器具１の器具本体１００の斜視図である。
器具本体１００は、ボルトなどの固定具を用いて天井等の被取付部に固定することで取付けられ、下から光源ユニット２００が装着されるものである。器具本体１００には、光源ユニット２００の一部が挿入されて取付けられる収容凹部１１０が形成されており、この収容凹部１１０は、矩形状に形成された底部１１１と、底部１１１の長辺の端部から下向きに延びる一対の側部１１２とで構成され、底部１１１と対向する面は開口されている。この構成により収容凹部１１０は凹形状をなし、開口される側から光源ユニット２００が挿入されて収容凹部１１０内部に光源ユニット２００の一部を収納する。
また、器具本体１００は、収容凹部１１０の側部１１２の長辺に沿って形成される鍔部１２０と、鍔部１２０から上方向へ向かうに従ってＹ方向へ広がる方向へ傾斜して形成される傾斜部１３０と、器具本体１００のＸ方向の両端の側面に形成される側板１４０とを備える。側板１４０は、器具本体１００のＸ方向の両端の側面を覆う側板本体部１４１と、側板本体部１４１の下方に側板本体部１４１と略垂直に配設された側板鍔部１４２とを備える。
収容凹部１１０の底部１１１には、器具本体１００の天井側外部から収容凹部１１０内に商用電源から電力供給をうける為の電源線を通す電源引込孔１１１ａと、器具本体１００を被取付部へ固定する為の固定具を挿通する固定孔１１１ｂが形成されている。また、収容凹部１１０の底部１１１には、収容凹部１１０に挿入される光源ユニット２００を係止して保持するバネ１６０が配設されている。図４はバネ１６０の斜視図であり、図４に示すようにバネ１６０は底部１１１に固定されるバネ固定部１６１と、円弧状をしたバネ円弧部１６２と、バネ円弧部１６２の先端に設けられ光源ユニット２００と器具本体１００とを係止するバネ先端部１６３とを備える。バネ１６０は収容凹部１１０の底部１１１のＸ方向に対して対になるように２つ配設される。対になる２つのバネ１６０は、バネ先端部１６３が互いに反対方向を向くように底部１１１のＸ方向に沿うように配置され、他の部品や電線２６０と干渉しない位置に設けられている。バネ１６０は、ステンレス材料や、バネ鋼材などの弾性材料で形成される。なお、バネ１６０は、板材の弾性材料を曲げて形成しても良く、線材の弾性材料を曲げて形成してもよい。
収容凹部１１０内部には、器具本体１００の天井側から収容凹部１１０内に引き込まれる電源線が挿し込まれる端子台１５０が設けられており、この端子台１５０は、矩形状に形成された端子台本体部１５１と、光源ユニット２００に電気的に接続する端子台接続部１５２とを備える。この端子台接続部１５２は、端子台接続線１５２ａと端子台接続線１５２ａの先端に設けられた端子台コネクタ１５２ｂを備える。
【００１５】
以上が器具本体１００の構成であり、次に、この器具本体１００に装着される光源ユニット２００の構成を説明する。
図５は光源ユニット２００の分解斜視図、図６は光源ユニット２００を斜め上からみた斜視図、図７は図６の光源ユニット２００の一部を拡大して示す拡大斜視図である。光源ユニット２００は、複数の発光素子２１２を有する発光部２１０と、発光部２１０に点灯電力を供給する電源装置２４０と、発光部２１０と電源装置２４０とを電気的に接続する電線２６０と、発光部２１０及び電源装置２４０が配設されるフレーム２２０と、発光部２１０を覆うようにしてフレーム２２０に取付けられるカバー２３０と、カバー２３０のＸ方向の両端部に配設される蓋２７０とを備える。
【００１６】
発光部２１０は、Ｘ方向に沿って長尺に形成された基板２１１と、基板２１１にＸ方向に沿って直線状に実装される複数の発光素子２１２とを備え、発光部２１０のＸ方向の一端部には電源装置２４０と発光部２１０とを電気的に接続する電線２６０が接続されている。この電線２６０が電源装置２４０に接続することで、発光部２１０に電力が供給される。ここで発光素子２１２は、例えば表面実装タイプのＬＥＤ素子であるが、ＣＯＢ型発光モジュールまたは有機ＥＬ素子でもよい。
【００１７】
電源装置２４０は、端子台１５０を介して商用電源からの電力を発光部２１０に供給し、発光部２１０を点灯させる。電源装置２４０は図５、図６に示すように、フレーム２２０のうち発光部２１０が配設される面の反対側の面に固定される。
【００１８】
電源装置２４０は、図示しない電源回路が内蔵され長尺形状をした電源本体部２４１と、端子台接続部１５２とを接続する電源接続部２４２を備える。電源接続部２４２は、電源本体部２４１のＸ方向の一端側に設けられており、電源電線２４２ａと、電源電線２４２ａの先端に設けられ端子台コネクタ１５２ｂと接続する電源コネクタ２４２ｂを備えている。また、電源本体部２４１の長手方向の他端側は、発光部２１０に接続する電線２６０が配設されている。
【００１９】
図５に示すように蓋２７０は、光源ユニット２００のＸ方向における端部に設けられ、カバー２３０の開口を塞ぐとともに、発光部２１０が照射する光をＸ方向へ配光するものである。蓋２７０は、アクリル樹脂など透過性、拡散性を有する材料により形成されており、カバー２３０と接着剤、熱溶着などの接合手段により接合されている。
【００２０】
図７に示すように、フレーム底部２２１には連結金具２５０が固定されている。連結金具２５０は略Ｌ型状であり、器具本体１００と光源ユニット２００とを係止するものである。図８に示すように、連結金具２５０は、フレーム底部２２１に連結金具２５０を固定する金具固定部２５１と、金具固定部２５１に垂直に設けられたバネ連結部２５２とを備える。バネ連結部２５２は、バネ１６０が引っ掛けられる開口を有している。この開口を通してバネ連結部２５２とバネ１６０のバネ円弧部１６２とが係合し、光源ユニット２００は器具本体１００に固定される。
【００２１】
図５に示すように、フレーム２２０は長尺且つ矩形板状に形成されたフレーム底部２２１と、フレーム底部２２１の両方の長辺からそれぞれフレーム底部２２１と直交する方向に延びるフレーム側部２２２とを備える。
【００２２】
フレーム底部２２１の短辺の端部には、電線２６０が通る電線挿通部２２１ａが形成され、電線挿通部２２１ａには電線挿通部２２１ａと電線２６０との隙間を密閉するパッキンが設けられる。
【００２３】
図５に示すように、カバー２３０は発光部２１０を覆ってフレーム２２０に取り付けられるとともに、発光部２１０から照射される光を拡散するものである。カバー２３０は、乳白色のアクリル樹脂など拡散性を有する材料により形成される。
【００２４】
図９にカバーの断面図を示す。カバー２３０は、発光部２１０からの光を拡散して外部へ透過させる主カバー部２３１とフレーム２２０に嵌め込んで装着されるカバー係合部２３２とを備える。主カバー部２３１は略円弧形状をしたカバー円弧部２３１ａと、カバー円弧部２３１ａのＹ方向の両端部から上方向へ延びるように設けられたカバー側部２３１ｂとを備える。カバー係合部２３２は主カバー部２３１のＹ方向両端部に設けられ、フレーム２２０のフレーム底部２２１と対向して設けられる底部押さえ部２３２ｃと、フレーム側面部２２２ｂと対向して設けられる側部押さえ部２３２ｂと、側部端部２２２ａと対向して設けられる端部押さえ部２３２ａとを備える。
【００２５】
光源ユニット２００の組み立ては、図５のように、フレーム２２０に発光部２１０と電源装置２４０を設け、フレーム側部２２２にカバー係合部２３２を挟み込んでカバー２３０を装着し、カバー２３０の長辺両端に蓋２７０を設けることでおこなわれる。光源ユニット２００内部にある発光部２１０と電源装置２４０とを接続する電線２６０は、フレーム２２０の電線挿通部２２１ａを通って配線される。
【００２６】
以上が照明器具１の全体構成である。次に本発明による電線２６０をとりまとめるための構成に係わる各部の詳細構成を説明する。
図１０（ａ）は図１の照明器具１をＡ―Ａ切断面からみた断面図であり、図１０（ｂ）は図１０（ａ）のカバー２３０の左上の一部を拡大して示す断面図である。
【００２７】
フレーム側部２２２には、フレーム側部２２２の先端を光源ユニット２００の内部方向に曲げ加工されて形成される側部端部２２２ａと、フレーム底部２２１と側部端部２２２ａとの間を形成するフレーム側面部２２２ｂが設けられる。また、フレーム側部２２２の一部を切り起こして光源ユニット２００の内部方向に突出するようにフレーム引掛部２２２ｃが形成され、フレーム引掛部２２２ｃがカバー２３０の一部と嵌め合わせられる。
【００２８】
カバー係合部２３２には、カバー係合部２３２と一体となって形成される電線保持部２３３が設けられる。
電線保持部２３３は、電源装置２４０と発光部２１０とを電気的に接続する電線２６０をフレーム側部２２２と囲み保持するものである。
電線保持部２３３はカバー係合部２３２と接続部２３５を介して接続され、接続部２３５と連結される保持本体部２３３ａと、保持本体部２３３ａから突出した保持爪部２３３ｂとを備える。接続部２３５は、カバー係合部２３２及び保持本体部２３３ａよりも肉薄に構成されているため、保持本体部２３３ａは接続部２３５を支点として回動可能である。
【００２９】
図７に示すように、電線保持部２３３には、その一部を切り欠くことで凹み部２３４が形成されている。凹み部２３４は電源装置２４０と連結金具２５０と電線挿通部２２１ａ付近の電線保持部２３３に設けられ、電線保持部２３３を折り曲げたときに電線保持部２３３とフレーム２２０に配設された部品とが干渉することを防ぐとともに電線２６０を保持することができるものである。
【００３０】
次に本発明による電線をとりまとめるための方法を説明する。図１１（ａ）は電線２６０を保持する前の光源ユニット２００をＡ―Ａ切断面からみた断面図、図１１（ｂ）は電線２６０を保持した状態の光源ユニット２００をＡ―Ａ切断面からみた断面図である。
光源ユニット２００を組み立てる際に、電線保持部２３３を、接続部２３５を支点として上方向へ回動させ、電線２６０をフレーム２２０のフレーム側面部２２２ｂ付近に寄せまとめる。その後、電線２６０を寄せたまま電線保持部２３３を保持本体部２３３ａとフレーム側面部２２２ｂとが対向するように回動させ、フレーム引掛部２２２ｃと保持爪部２３３ｂとを嵌め合せる。これにより、フレーム側部２２２と電線保持部２３３との間に形成される隙間に電線２６０が保持されるとともに、フレーム側部２２２と保持本体部２３３ａとを係止することができる。
【００３１】
以上のような実施の形態１に係る照明器具１によれば、フレーム側部２２２に対して電線を通す隙間をもってフレームに設けられる電線保持部２３３を備えることにより、フレーム側部２２２と電線保持部２３３との間に隙間が形成されるため、電線２６０をフレーム側部２２２に誘導して電線保持部２３３が形成した隙間に通して保持することができる。
また、形成された隙間はフレーム側部２２２と電線保持部２３３とで囲まれた広い空間であるため、複数の電線２６０を保持することができる。電線保持部２３３を回動させて、フレーム引掛部２２２ｃと保持爪部２３３ｂとを嵌め合せることで電線保持部２３３が固定されるため、電線を溝に嵌め込む作業や別部品で電線を束ねて器具本体等に挿入設置するといった煩雑な作業が必要ない。
また、電線保持部２３３をカバー２３０と一体に回動可能に形成することにより、部品点数を増やさずに電線２６０を収納する隙間を形成することができる。さらに、上記のカバーは長手方向に同じ断面を持った形状なので、断面を形どった型を用いた押出し加工で製造することができるが、その際、電線保持部２３３も同時に形成することができる。押出し加工で形成された電線保持部に対し、必要な箇所で切り取って凹み部２３４を形成することで、所望の電線保持部２３３を形成できる。
さらに、テープや器具本体等に挿入設置する別の保持部材を設ける必要が無いため、材料費を低減することができる。別の保持部材とテープを用いる場合においては、テープの経年劣化や剥がれ等により電線２６０が十分に固定されないおそれがあるが、本実施の形態に係る電線保持部２３３は長期間カバー２３０と係止して電線２６０を保持することができる。
そして、電線２６０がフレーム２２０の内側つまり光源ユニット２００の内側で保持されるため、器具本体１００の収容凹部１１０に光源ユニット２００が装着される際に、器具本体１００の側部１１２や鍔部１２０と干渉するのを抑制することができる。したがって、照明器具１の組み立てが容易になり、電線２６０が器具本体１００と光源ユニット２００とに挟まれて劣化することを抑制することができる。なお、隙間に通して保持される電線は直接的に発光部に電線の他、上述したように電気部品同士を接続して間接的に発光電線でもよいことは言うまでもない。
【００３２】
実施の形態２．
次に実施の形態２の照明器具について説明する。実施の形態２に係る照明器具は、概ね図１と同様であるが、電線保持部の構成が異なるものであり、実施の形態１と相違する点を中心に、実施の形態と同一部分には同一符号を付して説明する。図１２（ａ）は実施の形態２に係る電線保持部２３３を備える光源ユニット３００を図１のＡ―Ａ切断面からみた断面図であり、図１２（ｂ）は図１２（ａ）のカバー２３０の左上の一部を拡大して示す断面図である。
【００３３】
実施の形態１では、電線保持部２３３を接続部２３５を介してカバー２３０と一体に形成する構成であったが、実施の形態２では、カバー２３０と別部材でできた電線保持部２３３をフレーム２２０に嵌め込む構成である。
【００３４】
実施の形態２に係る電線保持部２３３は、保持本体部２３３ａとフレーム側部２２２のフレーム引掛部２２２ｃと嵌め合せられる保持爪部２３３ｂに加えて、フレーム側部２２２の側部端部２２２ａと嵌め合せられる保持爪部２３３ｃとを備える。
【００３５】
光源ユニット２００を組み立てる際には、電線２６０をフレーム２２０のフレーム側面部２２２ｂ付近に寄せまとめた後、電線２６０を寄せたまま電線保持部２３３をフレーム側部２２２に嵌め込む。この時、フレーム引掛部２２２ｃと保持爪部２３３ｂ及び側部端部２２２ａと保持爪部２３３ｃとが嵌め合う。これにより、フレーム側部２２２と電線保持部２３３との間に形成される隙間に電線２６０が保持されるとともに、フレーム側部２２２と保持本体部２３３ａとを係止することができる。
【００３６】
実施の形態２に係る光源ユニット３００によれば、電線保持部２３３は、カバー２３０と別部材であるため、電線保持部２３３を必要な長さに切断して形成し、必要な箇所に嵌め込むことができる。そのため、フレーム２２０に設置される部品の位置に応じて凹み部２３４を容易に形成することができる。
【００３７】
なお、上記いずれの実施の形態においても、一方のフレーム側部２２２にのみ電線保持部２３３を設ける構成としたが、一方のみに限定されず、両方のフレーム側部２２２に設ける構成としてもよい。また、凹み部２３４を形成する構成を示したが、凹み部２３４を設ける構成には限定されず、形成しない構成又は必要な箇所のみに電線保持部２３３を設ける構成としてもよい。
また、電気部品として電源装置２４０をフレーム底部２２１に設けると示したが、電気部品は電源装置２４０に限らず、端子台や調光装置、通信装置、スイッチ等の電気部品であっても良く、複数の電気部品を配設することができる。よって、電線２６０は発光部２１０と電源装置とを接続する電線だけでなく、電気部品同時を電気的に接続する電線も含む。
また、天井等に取り付けられる逆富士形の照明器具について説明したが、逆富士形の形状に限らず、照明器具であれば、その形状は限定されない。
【符号の説明】
【００３８】
１  照明器具、１００  器具本体、１１０  収容凹部、１１１  底部、１１１ａ  電源引込孔、１１１ｂ  固定孔、１１２  側部、１２０  鍔部、１３０  傾斜部、１４０  側板、１４１  側板本体部、１４２  側板鍔部、１５０  端子台、１５１  端子台本体部、１５２  端子台接続部、１５２ａ  端子台接続線、１５２ｂ  端子台コネクタ、１６０  バネ、１６１  バネ固定部、１６２  バネ円弧部、１６３  バネ先端部、２００  光源ユニット、２１０  発光部、２１１  基板、２１２  発光素子、２２０  フレーム、２２１  フレーム底部、２２１ａ  電線挿通部、２２２  フレーム側部、２２２ａ  側部端部、２２２ｂ  フレーム側面部、２２２ｃ  フレーム引掛部、２３０  カバー、２３１  主カバー部、２３１ａ  カバー円弧部、２３１ｂ  カバー側部、２３２  カバー係合部、２３２ａ  端部押さえ部、２３２ｂ  側部押さえ部、２３２ｃ  底部押さえ部、２３３  電線保持部、２３３ａ  保持本体部、２３３ｂ、２３３ｃ  保持爪部、２３４  凹み部、２３５  接続部、２４０  電源装置、２４１  電源本体部、２４２  電源接続部、２４２ａ  電源電線、２４２ｂ  電源コネクタ、２５０  連結金具、２５１  金具固定部、２５２  バネ連結部、２７０  蓋、２６０  電線
【図１】
2018018579.tif 000003
【図２】
2018018579.tif 000004
【図３】
2018018579.tif 000005
【図４】
2018018579.tif 000006
【図５】
2018018579.tif 000007
【図６】
2018018579.tif 000008
【図７】
2018018579.tif 000009
【図８】
2018018579.tif 000010
【図９】
2018018579.tif 000011
【図１０】
2018018579.tif 000012
【図１１】
2018018579.tif 000013
【図１２】
2018018579.tif 000014